(57)【要約】【課題】配線パターンを効率よく使用できるプリント配線基板を提供する。【解決手段】出力側電子部品２と接続可能な第１配線パターン４及び第２配線パターン５を備えたプリント配線基板１において、第１配線パターン４のライン４ａ…と第２配線パターン５のライン５ａ…とが交互となるように配置され、第１配線パターン４及び第２配線パターン５は、グランド接続可能に構成され、第１配線パターン４と出力側電子部品２とが接続される場合には、第２配線パターン５がグランド接続されることによって、第２配線パターン５の各ライン５ａ…を第１配線パターン４の各ライン４ａ…のグランドガードラインとして構成し、第２配線パターン５と出力側電子部品２とが接続される場合には、第１配線パターン４がグランド接続されることによって、第１配線パターン４の各ライン４ａ…を第２配線パターン５の各ライン５ａ…のグランドガードラインとして構成するようにした。【選択図】図１
2008270555.tif 000002
【特許請求の範囲】
【請求項１】
電子部品と接続可能な第１配線パターン及び第２配線パターンを備えたプリント配線基板において、
前記第１配線パターンのラインと、前記第２配線パターンのラインと、が交互となるように配置され、
前記第１配線パターン及び前記第２配線パターンは、グランド接続可能に構成され、
前記第１配線パターンと前記電子部品とが接続される場合には、前記第２配線パターンが前記グランド接続されることによって、前記第２配線パターンの各ラインを前記第１配線パターンの各ラインのグランドガードラインとして構成し、
前記第２配線パターンと前記電子部品とが接続される場合には、前記第１配線パターンが前記グランド接続されることによって、前記第１配線パターンの各ラインを前記第２配線パターンの各ラインのグランドガードラインとして構成することを特徴とするプリント配線基板。
【請求項２】
請求項１に記載のプリント配線基板において、
前記第１配線パターン又は前記第２配線パターンを前記電子部品と接続するための接続用端子と、
前記第１配線パターン又は前記第２配線パターンを前記グランド接続するためのグランド用端子と、
前記第１配線パターンと、前記接続用端子又は前記グランド用端子と、を接続する第１接続手段と、
前記第２配線パターンと、前記接続用端子又は前記グランド用端子と、を接続する第２接続手段と、を備え、
前記第１配線パターンと前記電子部品とが接続される場合には、前記第１接続手段によって前記第１配線パターンと前記接続用端子とが接続されるとともに、前記第２接続手段によって前記第２配線パターンと前記グランド用端子とが接続され、
前記第２配線パターンと前記電子部品とが接続される場合には、前記第２接続手段によって前記第２配線パターンと前記接続用端子とが接続されるとともに、前記第１接続手段によって前記第１配線パターンと前記グランド用端子とが接続されることを特徴とするプリント配線基板。
【請求項３】
請求項２に記載のプリント配線基板において、
前記接続用端子は、前記第１配線パターンを前記電子部品と接続するための第１接続用端子と、前記第２配線パターンを前記電子部品と接続するための第２接続用端子と、からなり、
前記グランド用端子は、前記第１配線パターンを前記グランド接続するための第１グランド用端子と、前記第２配線パターンを前記グランド接続するための第２グランド用端子と、からなり、
前記第１配線パターンのラインは、先端が、前記第１接続用端子に対向して設けられた接続用第１接点と、前記第１グランド用端子に対向して設けられたグランド用第１接点と、に分岐し、
前記第２配線パターンのラインは、先端が、前記第２接続用端子に対向して設けられた接続用第２接点と、前記第２グランド用端子に対向して設けられたグランド用第２接点と、に分岐し、
前記第１配線パターンと前記電子部品とが接続される場合には、前記第１接続手段によって前記接続用第１接点と前記第１接続用端子とが接続されるとともに、前記第２接続手段によって前記グランド用第２接点と前記第２グランド用端子とが接続され、
前記第２配線パターンと前記電子部品とが接続される場合には、前記第２接続手段によって前記接続用第２接点と前記第２接続用端子とが接続されるとともに、前記第１接続手段によって前記グランド用第１接点と前記第１グランド用端子とが接続されることを特徴とするプリント配線基板。
【請求項４】
請求項２又は３に記載のプリント配線基板において、
前記第１接続手段及び前記第２接続手段は、所定の抵抗器であることを特徴とするプリント配線基板。
【請求項５】
電子部品と接続可能な第１配線パターン及び第２配線パターンを備えたプリント配線基板において、
前記第１配線パターンのラインと、前記第２配線パターンのラインと、が交互となるように配置され、
前記第１配線パターン及び前記第２配線パターンは、グランド接続可能に構成され、
当該プリント配線基板は、
前記第１配線パターン又は前記第２配線パターンを前記電子部品と接続するための接続用端子と、
前記第１配線パターン又は前記第２配線パターンを前記グランド接続するためのグランド用端子と、
前記第１配線パターンと、前記接続用端子又は前記グランド用端子と、を接続する第１抵抗器と、
前記第２配線パターンと、前記接続用端子又は前記グランド用端子と、を接続する第２抵抗器と、を備え、
前記接続用端子は、前記第１配線パターンを前記電子部品と接続するための第１接続用端子と、前記第２配線パターンを前記電子部品と接続するための第２接続用端子と、からなり、
前記グランド用端子は、前記第１配線パターンを前記グランド接続するための第１グランド用端子と、前記第２配線パターンを前記グランド接続するための第２グランド用端子と、からなり、
前記第１配線パターンのラインは、先端が、前記第１接続用端子に対向して設けられた接続用第１接点と、前記第１グランド用端子に対向して設けられたグランド用第１接点と、に分岐し、
前記第２配線パターンのラインは、先端が、前記第２接続用端子に対向して設けられた接続用第２接点と、前記第２グランド用端子に対向して設けられたグランド用第２接点と、に分岐し、
前記第１配線パターンと前記電子部品とが接続される場合には、前記第１抵抗器によって前記接続用第１接点と前記第１接続用端子とが接続されるとともに、前記第２抵抗器によって前記グランド用第２接点と前記第２グランド用端子とが接続されることによって、前記第２配線パターンの各ラインを前記第１配線パターンの各ラインのグランドガードラインとして構成し、
前記第２配線パターンと前記電子部品とが接続される場合には、前記第２抵抗器によって前記接続用第２接点と前記第２接続用端子とが接続されるとともに、前記第１抵抗器によって前記グランド用第１接点と前記第１グランド用端子とが接続されることによって、前記第１配線パターンの各ラインを前記第２配線パターンの各ラインのグランドガードラインとして構成することを特徴とするプリント配線基板。
【発明の詳細な説明】
【技術分野】
【０００１】
本発明は、プリント配線基板に関する。
【背景技術】
【０００２】
プリント配線基板に実装される電子部品同士の通信速度は、年々高速化しており、それに伴って、周りのパターンへの影響等が無視できなくなっている。
そのため、プリント配線基板には、高速信号を伝送するためのラインを挟むように、グランドガードラインがパターニングされている（例えば、特許文献１及び２参照）。
【０００３】
ところで、プリント配線基板においては、システムの多様化により、信号を枝分かれさせて引き回すことがある。
具体的には、例えば、信号を出力する出力側電子部品と、当該出力された信号が入力される第１入力側電子部品及び第２入力側電子部品と、が実装されたプリント配線基板において、仕様等によって、第１入力側電子部品と第２入力側電子部品とを使い分ける場合がある。すなわち、第１入力側電子部品と出力側電子部品とを第１配線パターンによって接続するとともに、第２入力側電子部品と出力側電子部品とを第２配線パターンによって接続し、そして、第１入力側電子部品と出力側電子部品との接続、又は第２入力側電子部品と出力側電子部品との接続を、抵抗器などにより切り分けることによって、第１入力側電子部品と第２入力側電子部品との何れか一方のみを使用する場合がある。
【０００４】
この場合、出力側電子部品から出力される信号が高速信号であるとすると、第１入力側電子部品と出力側電子部品とを接続する第１配線パターンの各ラインを挟むように、グランドガードラインをパターニングするとともに、第２入力側電子部品と出力側電子部品とを接続する第２配線パターンの各ラインを挟むように、グランドガードラインをパターニングする必要がある。
【特許文献１】特開２００６−２６９５４７号公報
【特許文献２】特開２００６−２０２９６４号公報
【発明の開示】
【発明が解決しようとする課題】
【０００５】
しかしながら、第１入力側電子部品と出力側電子部品とを接続する第１配線パターンの各ラインと、その各ラインを挟むグランドガードラインと、第２入力側電子部品と出力側電子部品とを接続する第２配線パターンの各ラインと、その各ラインを挟むグランドガードラインと、をパターニングすると、パターン面積が増大して、プリント配線基板における高密度実装の弊害になるという問題がある。
また、第１入力側電子部品と第２入力側電子部品とのうちの何れか一方の入力側電子部品のみを使用する場合、使用されない入力側電子部品と出力側電子部品とを接続する配線パターンの各ラインと、その各ラインを挟むグランドガードラインと、が不要なものとなって無駄になるという問題がある。
【０００６】
本発明の課題は、配線パターンを効率よく使用できるプリント配線基板を提供することにある。
【課題を解決するための手段】
【０００７】
上記課題を解決するために、請求項１に記載の発明は、
電子部品と接続可能な第１配線パターン及び第２配線パターンを備えたプリント配線基板において、
前記第１配線パターンのラインと、前記第２配線パターンのラインと、が交互となるように配置され、
前記第１配線パターン及び前記第２配線パターンは、グランド接続可能に構成され、
前記第１配線パターンと前記電子部品とが接続される場合には、前記第２配線パターンが前記グランド接続されることによって、前記第２配線パターンの各ラインを前記第１配線パターンの各ラインのグランドガードラインとして構成し、
前記第２配線パターンと前記電子部品とが接続される場合には、前記第１配線パターンが前記グランド接続されることによって、前記第１配線パターンの各ラインを前記第２配線パターンの各ラインのグランドガードラインとして構成することを特徴とする。
【０００８】
請求項２に記載の発明は、
請求項１に記載のプリント配線基板において、
前記第１配線パターン又は前記第２配線パターンを前記電子部品と接続するための接続用端子と、
前記第１配線パターン又は前記第２配線パターンを前記グランド接続するためのグランド用端子と、
前記第１配線パターンと、前記接続用端子又は前記グランド用端子と、を接続する第１接続手段と、
前記第２配線パターンと、前記接続用端子又は前記グランド用端子と、を接続する第２接続手段と、を備え、
前記第１配線パターンと前記電子部品とが接続される場合には、前記第１接続手段によって前記第１配線パターンと前記接続用端子とが接続されるとともに、前記第２接続手段によって前記第２配線パターンと前記グランド用端子とが接続され、
前記第２配線パターンと前記電子部品とが接続される場合には、前記第２接続手段によって前記第２配線パターンと前記接続用端子とが接続されるとともに、前記第１接続手段によって前記第１配線パターンと前記グランド用端子とが接続されることを特徴とする。
【０００９】
請求項３に記載の発明は、
請求項２に記載のプリント配線基板において、
前記接続用端子は、前記第１配線パターンを前記電子部品と接続するための第１接続用端子と、前記第２配線パターンを前記電子部品と接続するための第２接続用端子と、からなり、
前記グランド用端子は、前記第１配線パターンを前記グランド接続するための第１グランド用端子と、前記第２配線パターンを前記グランド接続するための第２グランド用端子と、からなり、
前記第１配線パターンのラインは、先端が、前記第１接続用端子に対向して設けられた接続用第１接点と、前記第１グランド用端子に対向して設けられたグランド用第１接点と、に分岐し、
前記第２配線パターンのラインは、先端が、前記第２接続用端子に対向して設けられた接続用第２接点と、前記第２グランド用端子に対向して設けられたグランド用第２接点と、に分岐し、
前記第１配線パターンと前記電子部品とが接続される場合には、前記第１接続手段によって前記接続用第１接点と前記第１接続用端子とが接続されるとともに、前記第２接続手段によって前記グランド用第２接点と前記第２グランド用端子とが接続され、
前記第２配線パターンと前記電子部品とが接続される場合には、前記第２接続手段によって前記接続用第２接点と前記第２接続用端子とが接続されるとともに、前記第１接続手段によって前記グランド用第１接点と前記第１グランド用端子とが接続されることを特徴とする。
【００１０】
請求項４に記載の発明は、
請求項２又は３に記載のプリント配線基板において、
前記第１接続手段及び前記第２接続手段は、所定の抵抗器であることを特徴とする。
【００１１】
請求項５に記載の発明は、
電子部品と接続可能な第１配線パターン及び第２配線パターンを備えたプリント配線基板において、
前記第１配線パターンのラインと、前記第２配線パターンのラインと、が交互となるように配置され、
前記第１配線パターン及び前記第２配線パターンは、グランド接続可能に構成され、
当該プリント配線基板は、
前記第１配線パターン又は前記第２配線パターンを前記電子部品と接続するための接続用端子と、
前記第１配線パターン又は前記第２配線パターンを前記グランド接続するためのグランド用端子と、
前記第１配線パターンと、前記接続用端子又は前記グランド用端子と、を接続する第１抵抗器と、
前記第２配線パターンと、前記接続用端子又は前記グランド用端子と、を接続する第２抵抗器と、を備え、
前記接続用端子は、前記第１配線パターンを前記電子部品と接続するための第１接続用端子と、前記第２配線パターンを前記電子部品と接続するための第２接続用端子と、からなり、
前記グランド用端子は、前記第１配線パターンを前記グランド接続するための第１グランド用端子と、前記第２配線パターンを前記グランド接続するための第２グランド用端子と、からなり、
前記第１配線パターンのラインは、先端が、前記第１接続用端子に対向して設けられた接続用第１接点と、前記第１グランド用端子に対向して設けられたグランド用第１接点と、に分岐し、
前記第２配線パターンのラインは、先端が、前記第２接続用端子に対向して設けられた接続用第２接点と、前記第２グランド用端子に対向して設けられたグランド用第２接点と、に分岐し、
前記第１配線パターンと前記電子部品とが接続される場合には、前記第１抵抗器によって前記接続用第１接点と前記第１接続用端子とが接続されるとともに、前記第２抵抗器によって前記グランド用第２接点と前記第２グランド用端子とが接続されることによって、前記第２配線パターンの各ラインを前記第１配線パターンの各ラインのグランドガードラインとして構成し、
前記第２配線パターンと前記電子部品とが接続される場合には、前記第２抵抗器によって前記接続用第２接点と前記第２接続用端子とが接続されるとともに、前記第１抵抗器によって前記グランド用第１接点と前記第１グランド用端子とが接続されることによって、前記第１配線パターンの各ラインを前記第２配線パターンの各ラインのグランドガードラインとして構成することを特徴とする。
【発明の効果】
【００１２】
本発明によれば、電子部品と接続可能な第１配線パターン及び第２配線パターンを備えたプリント配線基板において、第１配線パターンのラインと、第２配線パターンのラインと、が交互となるように配置され、第１配線パターン及び第２配線パターンは、グランド接続可能に構成され、第１配線パターンと電子部品とが接続される場合には、第２配線パターンがグランド接続されることによって、第２配線パターンの各ラインを第１配線パターンの各ラインのグランドガードラインとして構成し、第２配線パターンと電子部品とが接続される場合には、第１配線パターンがグランド接続されることによって、第１配線パターンの各ラインを第２配線パターンの各ラインのグランドガードラインとして構成している。
したがって、第１配線パターン及び第２配線パターンのうちの電子部品と接続されない配線パターンの各ラインは、電子部品と接続される配線パターンの各ラインのグランドガードラインになるため、不要なラインがなく、効率よく配線パターンを使用できる。また、第１配線パターン及び第２配線パターンの各ラインを挟むグランドガードラインを別個にパターニングしなくてもよいため、パターン面積が小さくて済み、プリント配線基板における高密度実装が可能となる。
【発明を実施するための最良の形態】
【００１３】
以下、図を参照して、本発明を実施するための最良の形態を詳細に説明する。なお、発明の範囲は、図示例に限定されない。
【００１４】
プリント配線基板１は、例えば、信号を出力する出力側電子部品２と、当該出力された信号が入力される第１入力側電子部品３１及び第２入力側電子部品３２と、が実装されており、仕様等によって、第１入力側電子部品３１と第２入力側電子部品３２とを使い分けるようになっている。
【００１５】
具体的には、プリント配線基板１は、例えば、図１〜図４に示すように、電子部品としての出力側電子部品２と、出力側電子部品２と接続可能であるとともにグランド接続可能な第１配線パターン４及び第２配線パターン５と、第１配線パターン４又は第２配線パターン５を出力側電子部品２と接続するための複数の接続用端子６…と、第１配線パターン４又は第２配線パターン５をグランド接続するための複数のグランド用端子７…と、第１配線パターン４と、接続用端子６…又はグランド用端子７…と、を接続する第１接続手段としての所定の抵抗器である第１抵抗器８１…と、第２配線パターン５と、接続用端子６…又はグランド用端子７…と、を接続する第２接続手段としての所定の抵抗器である第２抵抗器８２…と、第１配線パターン４を介して出力側電子部品２と接続可能であるとともにグランド接続可能な第１入力側電子部品３１と、第２配線パターン５を介して出力側電子部品２と接続可能であるとともにグランド接続可能な第２入力側電子部品３２と、などを備えて構成される。
【００１６】
出力側電子部品２は、例えば、ＩＣ（Integrated Circuit）であり、例えば、信号を出力する。
第１入力側電子部品３１及び第２入力側電子部品３２は、例えば、コネクタである。第１入力側電子部品３１及び第２入力側電子部品３２は、例えば、何れか一方が出力側電子部品２と接続されるようになっており、接続された入力側電子部品に、出力側電子部品２から出力された信号が入力される。
ここで、出力側電子部品２から出力されて、第１入力側電子部品３１又は第２入力側電子部品３２に入力される信号は、例えば、高速信号であり、具体的には、例えば、液晶パネルを駆動するための映像信号などである。
【００１７】
なお、出力側電子部品２は、ＩＣに限ることはなく、信号を出力する電子部品であれば任意である。
また、第１入力側電子部品３１及び第２入力側電子部品３２は、コネクタに限ることはなく、出力側電子部品２から出力された信号が入力される電子部品であれば任意である。
また、出力側電子部品２から出力される信号は、液晶パネルを駆動するための映像信号などの高速信号に限ることはなく、出力側電子部品２から出力可能な信号であれば任意である。
【００１８】
第１配線パターン４は、例えば、第１入力側電子部品３１と接続し、且つ、出力側電子部品２と接続可能に構成されているとともにグランド接続可能に構成されている。すなわち、第１配線パターン４が出力側電子部品２と接続すると、第１配線パターン４を介して出力側電子部品２と第１入力側電子部品３１とが接続されて、出力側電子部品２から出力された高速信号が第１入力側電子部品３１に入力される。そして、第１配線パターン４が出力側電子部品２と接続する場合、第２配線パターン５はグランド接続される。
第２配線パターン５は、例えば、第２入力側電子部品３２と接続し、且つ、出力側電子部品２と接続可能に構成されているとともにグランド接続可能に構成されている。すなわち、第２配線パターン５が出力側電子部品２と接続すると、第２配線パターン５を介して出力側電子部品２と第２入力側電子部品３２とが接続されて、出力側電子部品２から出力された高速信号が第２入力側電子部品３２に入力される。そして、第２配線パターン５が出力側電子部品２と接続する場合、第１配線パターン４はグランド接続される。
【００１９】
具体的には、第１配線パターン４と出力側電子部品２とが接続される場合には、例えば、図１及び図２に示すように、第１抵抗器８１によって第１配線パターン４と接続用端子６とが接続されるとともに、第２抵抗器８２によって第２配線パターン５とグランド用端子７とが接続されるようになっている。
また、第２配線パターン５と出力側電子部品２とが接続される場合には、例えば、図３及び図４に示すように、第２抵抗器８２によって第２配線パターン５と接続用端子６とが接続されるとともに、第１抵抗器８１によって第１配線パターン４とグランド用端子７とが接続されるようになっている。
【００２０】
より具体的には、第１配線パターン４及び第２配線パターン５は、例えば、図１及び図３に示すように、第１配線パターン４のライン４ａ…と、第２配線パターン５のライン５ａ…と、が交互となるように配置されている。
なお、出力用電子部品２により出力された信号が、第１配線パターン４を介して第１入力側電子部品３１のみに入力されるよう、或いは、第２配線パターン５を介して第２入力側電子部品３２のみに入力されるよう、第１配線パターン４のライン４ａと第２配線パターン５のライン５ａとの交点では、例えば、第１配線パターン４のライン４ａと第２配線パターン５のライン５ａとが絶縁等されている。
【００２１】
そして、接続用端子６は、例えば、図１〜図４に示すように、第１配線パターン４を出力側電子部品２と接続するための第１接続用端子６１と、第２配線パターン５を出力側電子部品２と接続するための第２接続用端子６２と、からなり、第１接続用端子６１と第２接続用端子６２とが、交互となるように配置されている。
【００２２】
また、グランド用端子７は、例えば、図１〜図４に示すように、第１配線パターン４をグランド接続するための第１グランド用端子７１と、第２配線パターン５をグランド接続するための第２グランド用端子７２と、からなり、第１グランド用端子７１と第２グランド用端子７２とが、交互となるように、第１接続用端子６１と第２接続用端子６２との間に配置されている。すなわち、接続用端子６及びグランド用端子７は、例えば、第１グランド用端子７１、第１接続用端子６１、第２グランド用端子７２、第２接続用端子６２の順で繰り返して配置されている。
ここで、グランド用端子７は、プリント配線基板１が単層基板である場合は、例えば、単層基板の裏面にパターニングされた接地ラインＬを介して接地され、プリント配線基板１が多層基板である場合は、例えば、多層基板の他層にパターニングされた接地ラインＬを介して接地されている。
【００２３】
また、第１配線パターン４のライン４ａは、例えば、図１〜図４に示すように、先端が、第１接続用端子６１に対向して設けられた接続用第１接点４１と、第１グランド用端子７１に対向して設けられたグランド用第１接点４２と、に分岐している。
【００２４】
また、第２配線パターン５のライン５ａは、例えば、図１〜図４に示すように、先端が、第２接続用端子６２に対向して設けられた接続用第２接点５１と、第２グランド用端子７２に対向して設けられたグランド用第２接点５２と、に分岐している。
【００２５】
そして、第１配線パターン４と出力側電子部品２とが接続される場合には、すなわち、第１入力側電子部品３１と出力側電子部品２とが接続される場合には、例えば、図１及び図２に示すように、第１抵抗器８１によって接続用第１接点４１と第１接続用端子６１とが接続されるとともに、第２抵抗器８２によってグランド用第２接点５２と第２グランド用端子７２とが接続されることによって、第２配線パターン５の各ライン５ａ…を第１配線パターン４の各ライン４ａ…のグランドガードラインとして構成する。
【００２６】
また、第２配線パターン５と出力側電子部品２とが接続される場合には、すなわち、第２入力側電子部品３２と出力側電子部品２とが接続される場合には、例えば、図３及び図４に示すように、第２抵抗器８２によって接続用第２接点５１と第２接続用端子６２とが接続されるとともに、第１抵抗器８１によってグランド用第１接点４２と第１グランド用端子７１とが接続されることによって、第１配線パターン４の各ライン４ａ…を第２配線パターン５の各ライン５ａ…のグランドガードラインとして構成する。
【００２７】
以上説明した本発明のプリント配線基板１によれば、出力側電子部品２と接続可能な第１配線パターン４及び第２配線パターン５を備え、第１配線パターン４のライン４ａ…と、第２配線パターン５のライン５ａ…と、が交互となるように配置され、第１配線パターン４及び第２配線パターン５は、グランド接続可能に構成され、第１配線パターン４と出力側電子部品２とが接続される場合には、第２配線パターン５がグランド接続されることによって、第２配線パターン５の各ライン５ａ…を第１配線パターン４の各ライン４ａ…のグランドガードラインとして構成し、第２配線パターン５と出力側電子部品２とが接続される場合には、第１配線パターン４がグランド接続されることによって、第１配線パターン４の各ライン４ａ…を第２配線パターン５の各ライン５ａのグランドガードラインとして構成している。
したがって、第１配線パターン４及び第２配線パターン５のうちの出力側電子部品２と接続されない配線パターンの各ラインは、出力側電子部品２と接続される配線パターンの各ラインのグランドガードラインになるため、不要なラインがなく、効率よく配線パターンを使用できる。また、第１配線パターン４及び第２配線パターン５の各ラインを挟むグランドガードラインを別個にパターニングしなくてもよいため、パターン面積が小さくて済み、プリント配線基板１における高密度実装が可能となる。
【００２８】
また、第１配線パターン４と出力側電子部品２とが接続される場合には、第１抵抗器８１によって第１配線パターン４と接続用端子６とが接続されるとともに、第２抵抗器８２によって第２配線パターン５とグランド用端子７とが接続され、第２配線パターン５と出力側電子部品２とが接続される場合には、第２抵抗器８２によって第２配線パターン５と接続用端子６とが接続されるとともに、第１抵抗器８１によって第１配線パターン４とグランド用端子７とが接続される。
具体的には、第１配線パターン４と出力側電子部品２とが接続される場合には、第１抵抗器８１によって接続用第１接点４１と第１接続用端子６１とが接続されるとともに、第２抵抗器８２によってグランド用第２接点５２と第２グランド用端子７２とが接続され、第２配線パターン４と出力側電子部品２とが接続される場合には、第２抵抗器８２によって接続用第２接点５１と第２接続用端子６２とが接続されるとともに、第１抵抗器８１によってグランド用第１接点４２と第１グランド用端子７１とが接続される。
すなわち、第１抵抗器８１及び第２抵抗器８２の配置場所を替えるだけの簡単な構成で、出力側電子部品２に接続する配線パターンと、グランドガードラインとして機能させる配線パターンと、を設定して、第１入力側電子部品３１と第２入力側電子部品３２とを使い分けることができるため、使い勝手がよい。
また、抵抗器が、第１配線パターン４の各ライン４ａ…及び第２配線パターン５の各ライン５ａ…の途中ではなく、第１配線パターン４の各ライン４ａ…及び第２配線パターン５の各ライン５ａ…の出力側電子部品２側の根元に配置されるため、出力側電子部品２から出力されて第１入力側電子部品３１又は第２入力側電子部品３２に入力される信号の品質が安定化する。
【００２９】
また、第１接続用端子６１と接続用第１接点４１とが対向して配置され、第１グランド用端子７１とグランド用第１接点４２とが対向して配置され、第２接続用端子６２と接続用第２接点５１とが対向して配置され、第２グランド用端子７２とグランド用第２接点５２とが対向して配置されているため、第１抵抗器８１及び第２抵抗器８２での接続先が明確になって、使い勝手がよい。
【００３０】
なお、本発明は、上記した実施の形態のものに限るものではなく、その要旨を逸脱しない範囲で適宜変更可能である。
【００３１】
第１配線パターン４及び第２配線パターン５に接続可能な電子部品は、信号を出力する出力側電子部品２に限ることはなく、出力された信号が入力される入力側電子部品であってもよい。この場合、第１配線パターン４には第１入力側電子部品３１に代えて第１出力側電子部品が接続され、第２配線パターン５には第２入力側電子部品３２に代えて第２出力側電子部品が接続されることになる。
【００３２】
第１配線パターン４の各ライン４ａ…の本数及び配置、並びに第２配線パターン５の各ライン５ａ…の本数及び配置は、第１配線パターン４のライン４ａ…と、第２配線パターン５のライン５ａと、が交互となるように配置されて、第１配線パターン４と出力側電子部品２とが接続される場合には、第２配線パターン５がグランド接続されることによって、第２配線パターン５の各ライン５ａ…を第１配線パターン４の各ライン４ａ…のグランドガードラインとして構成し、第２配線パターン５と出力側電子部品２とが接続される場合には、第１配線パターン４がグランド接続されることによって、第１配線パターン４の各ライン４ａ…を第２配線パターン５の各ライン５ａ…のグランドガードラインとして構成することができるのであれば、任意である。
無論、第１接続用端子６１と第２接続用端子６２とからなる接続用端子６の個数、第１グランド用端子７１と第２グランド用端子７２とからなるグランド用端子７の個数、第１配線パターン４のライン４ａの先端を分岐させて形成した接続用第１接点４１の個数及びグランド用第１接点４２の個数、並びに第２配線パターン５のライン５ａの先端を分岐させて形成した接続用第２接点５１の個数及びグランド用第２接点５２の個数は、第１配線パターン４の各ライン４ａ…の本数及び第２配線パターン５の各ライン５ａ…の本数に応じて適宜変更される。
【００３３】
プリント配線基板１に、第１入力側電子部品３１及び第２入力側電子部品３２が実装されるようにしたが、これに限ることはなく、プリント配線基板１には、第１入力側電子部品３１及び第２入力側電子部品３２の何れか一方が実装されていればよい。
【００３４】
第１配線パターン４のライン４ａの先端を、接続用第１接点４１とグランド用第１接点４２とに分岐するようにしたが、これに限ることはなく、第１配線パターン４を接続用端子６（第１接続用端子６１）又はグランド用端子７（第１グランド用端子７１）に接続することができるのであれば、第１配線パターン４のライン４ａの先端を分岐させる必要はない。
同様に、第２配線パターン５のライン５ａの先端を、接続用第２接点５１とグランド用第２接点５２とに分岐するようにしたが、これに限ることはなく、第２配線パターン５を接続用端子６（第２接続用端子６２）又はグランド用端子７（第２グランド用端子７２）に接続することができるのであれば、第２配線パターン５のライン５ａの先端を分岐させる必要はない。
【００３５】
第１配線パターン４と、接続用端子６又はグランド用端子７と、を接続する第１接続手段は、第１抵抗器８１に限ることはなく、第１配線パターン４と、接続用端子６又はグランド用端子７と、を接続することができるのであれば任意である。
同様に、第２配線パターン５と、接続用端子６又はグランド用端子７と、を接続する第２接続手段は、第２抵抗器８２に限ることはなく、第２配線パターン５と、接続用端子６又はグランド用端子７と、を接続することができるのであれば任意である。
【図面の簡単な説明】
【００３６】
【図１】本発明にかかるプリント配線基板において、第１配線パターンと出力側電子部品とが接続された場合の、要部構成を示す図である。
【図２】本発明にかかるプリント配線基板において、第１配線パターンと出力側電子部品とが接続された場合の、一の第１抵抗器及び一の第２抵抗器による接続部分を示す図である。
【図３】本発明にかかるプリント配線基板において、第２配線パターンと出力側電子部品とが接続された場合の、要部構成を示す図である。
【図４】本発明にかかるプリント配線基板において、第２配線パターンと出力側電子部品とが接続された場合の、一の第１抵抗器及び一の第２抵抗器による接続部分を示す図である。
【符号の説明】
【００３７】
１  プリント配線基板
２  出力側電子部品（電子部品）
４  第１配線パターン
４ａ  （第１配線パターンの）ライン
５  第２配線パターン
５ａ  （第２配線パターンの）ライン
６  接続用端子
７  グランド用端子
４１  接続用第１接点
４２  グランド用第１接点
５１  接続用第２接点
５２  グランド用第２接点
６１  第１接続用端子
６２  第２接続用端子
７１  第１グランド用端子
７２  第２グランド用端子
８１  第１抵抗器（第１接続手段）
８２  第２抵抗器（第２接続手段）
【図１】
2008270555.tif 000003
【図２】
2008270555.tif 000004
【図３】
2008270555.tif 000005
【図４】
2008270555.tif 000006